Podtech/llm-jp-corpus-v4-ja_patent huggingface dataset:
(57)【要約】【課題】架空送電線１に流れる電流が小さく、架空送電線１の外周に巻き付けた低キュリー点磁性線材２の発熱量が少ない時でも、着雪を抑制できる難着雪電線を提供する。【解決手段】架空送電線１の外周に低キュリー点磁性線材２を巻き付け、さらに架空送電線１及び磁性線材２の表面にグリース３を塗布する。グリース３は磁性線材２の間の谷間を埋めるように塗布する。グリース３としてはポリマー系グリースを用いる。磁性線材２の発熱量が少ない時でも、グリース３が効率よく温められ、着雪を抑制できる。グリースの代わりにパラフィンを用いてもよい。【選択図】図１
2008147017.tif 000002
【特許請求の範囲】
【請求項１】
架空送電線の外周に低キュリー点磁性線材を巻き付け、さらに架空送電線及び磁性線材の表面にグリース又はパラフィンを塗布したことを特徴とする難着雪電線。
【請求項２】
グリース又はパラフィンが磁性線材の間の谷間を埋めるように塗布されていることを特徴とする請求項１記載の難着雪電線。
【請求項３】
グリースとしてポリマー系グリース、シリコン系グリース又はフッ素系グリースを用いたことを特徴とする請求項１又は２記載の難着雪電線。
【発明の詳細な説明】
【技術分野】
【０００１】
本発明は、架空送電線の外周に巻き付けた低キュリー点磁性線材の発熱により架空送電線に付着した雪を融かすタイプの難着雪電線に関するものである。
【背景技術】
【０００２】
従来のこの種の難着雪電線は、図２に示すように、架空送電線１の外周に低キュリー点磁性線材２を比較的小さいピッチでらせん状に巻き付けたものである。磁性線材１としては、例えばキュリー点が２０℃以下の鉄・ニッケル系合金線にアルミを被覆したもの等が使用される。このような構成にすると、冬季の低温時には、磁性線材２が強磁性を示し、架空送電線１に流れる電流による交番磁界で発熱するので、架空送電線１に付着した雪を融かすことができる。このため着雪が大きく成長するのを防止できる。また夏季の高温時には磁性線材２が常磁性を示し、発熱が抑制される（特許文献１参照）。
【０００３】
【特許文献１】特開平７−２３５２０号公報
【発明の開示】
【発明が解決しようとする課題】
【０００４】
この種の難着雪電線は、架空送電線に流れる電流が大きい時（電力需要が多い時）は、磁性線材の発熱量も大きく、十分な融雪効果を得ることができる。しかし、架空送電線に流れる電流が小さい時（深夜等の電力需要が少ない時）は、磁性線材の発熱量が少なくなるので、十分な融雪効果が得られず、着雪が発生する場合がある。
【０００５】
本発明の目的は、このような問題点に鑑み、磁性線材の発熱量が少ない時でも、着雪を抑制できる難着雪電線を提供することにある。
【課題を解決するための手段】
【０００６】
上記目的を達成するため、本発明に係る難着雪電線は、架空送電線の外周に低キュリー点磁性線材を巻き付け、さらに架空送電線及び磁性線材の表面にグリース又はパラフィンを塗布したことを特徴とするものである。
【０００７】
本発明の難着雪電線において、グリース又はパラフィンは磁性線材の間の谷間を埋めるように塗布されていることが好ましい。
【０００８】
また本発明の難着雪電線において、グリースとしてはポリマー系グリース、シリコン系グリース、フッ素系グリースを用いることが好ましい。
【発明の効果】
【０００９】
本発明によれば、架空送電線及び磁性線材の表面にグリース又はパラフィンが塗布されているので、グリース又はパラフィンの撥水性により雪が滑りやすくなると共に、磁性線材の発熱量が少ない時でもグリース又はパラフィンが温められているため、雪が凍り付き難くなる。このため、雪が滑落しやすく、大きな着雪に成長するのを防止できる。
【００１０】
特に、グリース又はパラフィンを磁性線材の間の谷間を埋めるように塗布しておくと、難着雪電線の表面積が小さくなり、熱が逃げにくくなるので、磁性線材の発熱量が少ない時でも、磁性線材の発生熱でグリース又はパラフィンを効率よく温めることができ、融雪効果、凍結防止効果を向上させることができる。
【００１１】
また、ポリマー系グリースを用いると、グリースが剥がれ落ち難いので、長期にわたって難着雪効果を維持することができる。またポリマー系グリースは無害であることから万一、雪と一緒に剥がれ落ちたとしても環境を汚染するおそれがない。
【００１２】
また、シリコン系グリースやフッ素系グリースを用いると、特に撥水性が高いので、より確実に難着雪効果を得ることができる。また、シリコン系グリースやフッ素系グリースは、耐熱温度が高いため、夏場、磁性線材の発熱により電線が高温になっても、グリースが垂れ落ちるおそれがない。
【発明を実施するための最良の形態】
【００１３】
図１は本発明の一実施形態を示す。この難着雪電線は、架空送電線１の外周に低キュリー点磁性線材２を巻き付けると共に、架空送電線１及び磁性線材２の表面を覆うようにグリース３を塗布したものである。グリース３は、らせん状に巻き付けられた磁性線材２の間の谷間を埋めるように塗布されている。グリース３は塗布装置で塗布することもできるが、作業員が手塗りで塗布することもできる。また既設の難着雪電線に塗布することも可能である。
【００１４】
上記のようにグリース３を塗布すると、難着雪電線の表面積が小さくなり、熱が逃げにくくなるので、磁性線材２の発熱量が少ないときでも、グリース３が効率よく温められ、雪が凍り付くのを防止できると共に、グリース３の撥水性により雪を滑落させることができる。したがって着雪を抑制できる。
【００１５】
グリース３としては、ベースオイルに例えばポリブデン含有液状ポリマーを用いたポリマー系グリースを使用するとよい。ポリマー系グリースは剥がれ落ち難いというメリットがある。またポリマー系グリースは鉱油系グリースと異なり、無害であるので、万一、雪と共に剥がれ落ちたとしても環境を汚染するおそれがなく、特に好適である。
【００１６】
また、グリース３としては、シリコン系グリースやフッ素系グリースを用いることもできる。
【００１７】
また、グリースの代わりに、グリースと似た性状を示す材料であるパラフィンを用いることも有効である。
【図面の簡単な説明】
【００１８】
【図１】本発明に係る難着雪電線の一実施形態を示す縦断面図。
【図２】従来の難着雪電線の側面図。
【符号の説明】
【００１９】
１：架空送電線
２：低キュリー点磁性線材
３：グリース
【図１】
2008147017.tif 000003
【図２】
2008147017.tif 000004
(57)【要約】【課題】ＬＥＤ照明のＬＥＤを冷却するためには、自然空冷、強制空冷を行っていたが冷却能力が悪くＬＥＤの寿命に大きな影響がでた。【解決の手段】ＬＥＤ照明用アルミニウム筐体に水路を設ける。【選択図】図１
2008147148.tif 000002
【特許請求の範囲】
【請求項１】
ＬＥＤ照明のアルミニウム、銅製筐体に、水路を作り、その水路に液体を流すことによりＬＥＤを冷却しＬＥＤ照明の寿命を伸ばすことを特長とするＬＥＤ照明筐体。
【発明の詳細な説明】
【技術分野】
【０００１】この発明は、ＬＥＤ照明の筐体に関する。
【技術背景】
【０００２】従来のＬＥＤ照明用筐体の場合は、自然空冷や強制空冷のため、十分に冷却することができずＬＥＤの十分な性能を引き出すことができなかった。
【発明の開示】
【発明が解決しようとする課題】
【０００３】しかしながら、以上の技術によれば、ＬＥＤの放熱が十分に行われずＬＥＤの寿命が著しく短かく不利であった。そこで今回の発明は、ＬＥＤ照明のＬＥＤの冷却能力を向上させることを課題とする。
【課題を解決するための手段】
【０００４】以上の課題を解決するために第一発明は、ＬＥＤ照明アルミニウム製筐体に水路を設け、その水路に液体を流すことによりＬＥＤを冷却しＬＥＤの寿命を延ばすことを特長とするＬＥＤ照明水冷筐体。
【発明の効果】
【０００５】第一発明によれは、ＬＥＤ照明のアルミニウム製筐体に水路を設け、そこに液体を流すことによりＬＥＤの発熱を低減しＬＥＤの寿命を延ばすことができるようになった。
【発明を実施するための最良の形態】
【０００６】この発明の一実施形態を図１に示す。
ＬＥＤ照明用水冷筐体１の材質はアルミ、銅であり、このＬＥＤ照明用水冷筐体１には水路２が設けられている。【０００７】「実施形態の効果」
この実施形態によれば、ＬＥＤ照明用水冷筐体１に水路２を設けることにより、ＬＥＤ３から発生した熱がアルミニウム筐体を伝わり、水路を流れる液体に伝わり、ＬＥＤ３を効率よく冷却できる。【０００８】「他の実施形態」
図１の実施形態では、水路を設けてあるが、液体を使用せず空気を強制的に流しても良い。
【図面の簡単な説明】
【０００９】
【図１】この発明の一実施形態を示す斜視図である。
【符号の説明】
【００１０】１  ＬＥＤ照明用水冷筐体      ２  水路
３  ＬＥＤ
【図１】
2008147148.tif 000003
(57)【要約】      （修正有）【課題】グラス底面などのガラス面に自在に貼り付き、表層と電気部品を着脱式として表層のみの水洗い、また交換を可能とする着脱式貼着照明器具を提供する。【解決手段】貼着層１０を備えた支持体７に、少なくとも電池２、導線３、スイッチ４、１個以上の発光ダイオード５からなる発光システムを含む基盤１の輪郭に等しい凹部を設け、両者を着脱式としたことを特徴とする着脱式貼着照明器具。【選択図】図１
2008147150.tif 000002
【特許請求の範囲】
【請求項１】
貼着層を備えた支持体に、発光システムを含む基盤の輪郭に等しい凹部を設け両者を着脱式としたことを特徴とする着脱式貼着照明器具。
【発明の詳細な説明】
【技術分野】
【０００１】  本発明はグラス底面等のガラス面に貼付け、発光することでグラスなどのコップ類及び飲料物及び空間を演出するための照明器具に関するものである。
【背景技術】
【０００２】  一般に、コップの下に配しコップの重みを利用したスイッチで発光しコップ及び飲料を照らし審美性の向上を図る、発光機能を有するコースターの発明は知られている（特許文献１参照）。また、無数の電球を間隔をおいて一連の電気コード上に配した発明は知られている（特許文献２参照）。
【特許文献１】特開平５−２４５０３１号広報
【特許文献２】特開２００２−２６０４０５号広報
【発明の開示】
【発明が解決しようとする課題】
【０００３】  ところが次のような問題があった。
（イ）コースターが単体で発光しているためコップを口元へ運んだり持ち歩く際、コースターとコップの距離が離れてしまい照明によるコップ及び飲料物への一定の効果が得られない。
（ロ）コースター本体内に発光ダイオード、電池、配線を含む内部構造が仕組まれているため水洗い時の水分の侵入による故障を恐れ、表面が汚れても拭き取るに止まらざるをえない。
（ハ）本体の設置場所をコンセントの位置に左右される。
本発明はこれらの問題点を解決するためになされたものである。
【課題を解決するための手段】
【０００４】  発光システムを含む基盤を、表層となる支持体に繰り返し着脱可能な状態で装着する。
支持体に貼着層を設ける。貼着層は支持体に永久的あるいは強力に貼着し、その他の貼着面はそれより低い貼着力とする。以上を特徴とする着脱式貼着照明器具である。
【発明の効果】
【０００５】（イ）本体をグラス底面に貼着するため、グラスを置いた状態から口元へ運んだり持ち歩く際にもグラスと照明器具の関係は一定の状態が保たれ、照明によるグラス及び飲料物への効果が一定である。
（ロ）本発明品の使用効果により暗所における本発明品装着状態の２つ以上のグラスの移動時の接触、転倒、破損を防ぐ。
（ハ）故障の原因となる電気部品を含む基盤を取り外して、本体表層となる支持体を水洗いでき清潔である。
（ニ）貼着層の支持体への貼着力をその他の被貼着物に対する貼着力よりも高く設定することで、被貼着物からの取り外し時の剥がし残しによる汚れを防ぐ。
（ホ）コンセントの位置に関係なく設置箇所、設置個数が自在である。
【発明を実施するための最良の形態】
【０００６】（イ）盆型の基盤（１）には少なくとも電池（２）、導線（３）、スイッチ（４）、１個以上の発光ダイオード（５）を内に配し、蓋（６）で嵌着密閉する。蓋（６）は発光ダイオード（５）の発光方向を妨げないように、発光ダイオード（５）を配した位置に応じて全面あるいは部分的に透明な材を具有するものとする。
（ロ）ゴム、発砲ゴム、シリコン、ウレタン等の柔軟な素材で形成した支持体（７）に、蓋（６）を含む基盤（１）の外面輪郭に沿った形の凹部を設ける。
（ハ）支持体（７）に蓋（６）で嵌着密閉した状態の基盤（１）をはめ込むと同時に、つめ（８）とつめ受け（９）が合致し、該蓋（６）で嵌着密閉した状態の該基盤（１）を該支持体（７）に着脱可能な状態で固定する。
（ニ）支持体（７）における、少なくとも被貼着物に面する箇所に粘着性の貼着層（１０）を設ける。
（ホ）貼着層（１０）の材質は本体を被貼着物に任意の時間貼着し続け、かつ任意に剥がし易いものとすべく、圧着粘着剤や粘着性両面テープを採用する。また該貼着層（１０）は支持体（７）に永久的に貼着あるいは強力に貼着させることを目的としグラス底面及びガラス面等に対する貼着力よりも高い貼着力で該支持体（７）に貼着することで、グラス面及びガラス面等に装着後剥がす際に比較的剥がし易く、剥がし残しが生じにくくする。特に粘着性シリコン、粘着性ウレタンを採用の際は永久的に該支持体（７）との圧着貼着をし、またグラス底面およびガラス面等に対する面は貼着を繰り返しても貼着力が衰えることなく、ホコリ等の異物が張り付いてしまっても石鹸水などで洗浄すれば元の粘着性の貼着力が回復する。
（ヘ）貼着面方向へ発光させたい場合は、発光ダイオード（５）の配置に応じて支持体（７）に発光口（１１）を設ける。本発明は、以上の構成よりなっている。
本発明を使用するときは、上記の着脱式照明器具を貼着層（１０）の粘着性を利用し、グラス底面やガラス面等の平面、あるいは貼着層（１０）の表面形状に則した面に圧着する。本体貼着前後にスイッチ（４）を入れる。なお、支持体（７）が汚れた時は、蓋（６）で嵌着密閉をした状態の基盤（１）を支持体（７）から取り外し支持体（７）を水洗いし、清潔さを回復させる。
粘着層（１０）の表面にホコリ等が付着し貼着力が低下した時は、蓋（６）で嵌着密閉をした状態の基盤（１）を支持体（７）から取り外し水洗いし貼着力を回復させるか、貼着層を新品に取り替える。
【図面の簡単な説明】
【０００７】
【図１】本発明の分離斜視図
【図２】本発明の断面図
【図３】本発明の他の実地例を示す断面図
【図４】本発明の使用状態を示す断面図
【符号の説明】
【０００８】１  基盤
２  電池
３  導線
４  スイッチ
５  発光ダイオード
６  蓋
７  支持体
８  つめ
９  つめ受け
１０  貼着層
１１  発光口
１２  グラス
１３  本体
【図１】
2008147150.tif 000003
【図２】
2008147150.tif 000004
【図３】
2008147150.tif 000005
【図４】
2008147150.tif 000006
(57)【要約】【課題】  多様な用途に対応できて、しかも簡便で意匠性の有する。板紐状の止具。【解決手段】  両端を角丸（Ｂ）に施した片方の紐先のセンターにＶ字状の刻み（Ａ１）を入れる。そこから中ほどに掛けて折筋（Ａ）を通す。その折筋（Ａ）の先にあたる両袖に溝（Ｃ）を施し、一方の片方に円い口（Ｄ）を空ける。以上の形態でなる板紐状の止具。【選択図】図１。
2008105744.tif 000002
【特許請求の範囲】
【請求項１】
両端を角丸（Ｂ）に施した片方の紐先のセンターにＶ字状の刻み（Ａ１）を入れる。そこから中ほどに掛けて折筋（Ａ）を通す。その折筋（Ａ）の先にあたる両袖に溝（Ｃ）を施し、一方の片方に円い口（Ｄ）を空ける。以上の形態でなる板紐状の止具。
【発明の詳細な説明】
【技術分野】
【０００１】  食品袋の口元や食材・資材などを閉じる、板紐状の止具である。
【背景技術】
【０００２】  不詳のため省略する。
【発明の開示】
【発明が解決しようとする課題】
【０００３】  多様の用途に対応できて、しかも簡便で意匠性の有す板紐状の止具である。
【課題を解決するための手段】
【０００４】  本発明は、柔軟を有すプラスチック系の薄板を適材とする。以下、その形態と実施例を以て解決の手段とする。【０００５】  両先を角丸（Ｂ）に施した片方の先のセンターにＶ字状の刻み（Ａ１）を入れる。そこから中ほどに掛けて折筋（Ａ）を通す。その折筋の先にあたる両袖に溝（Ｃ）を施し、一方の片方に円い口（Ｄ）を空ける。以上の形態でなる板紐状の止具。図１参照。【０００６】  以下、袋の口元の締付けを例にした実施である。【０００７】▲１▼、折筋（Ａ）を谷折りし、紐を袋の口元に回す。
この折筋（Ａ）の折りにより紐が半幅状となる。それによって先端両袖の角丸（Ｂ）とＶ字状の刻み（Ａ１）が一枚に重なり、先端丸細の紐先となる。図４参照。【０００８】▲２▼、その紐先を一方の口（Ｄ）に向け折曲げ差入れる。
この差入れは、折筋（Ａ）で半折になった紐幅と口（Ｄ）径が等しく可能である。また図４の効果で、差入れが容易に出来る。【０００９】▲３▼、口（Ｄ）から紐先を引出し、両先で紐を引締める。
この引き締めに溝（Ｃ）も順応され連動する。図２参照。【００１０】▲４▼、溝（Ｃ）が連動して口（Ｄ）に侵入し嵌合する。
この侵入は、狭い口（Ｄ）径に溝元（Ｃ２）が半反って強引に入る。また嵌合は、溝（Ｃ）の付根（Ｃ１）と口（Ｄ）径が等しいため可能となる。これは、溝（Ｃ）の深さを紐幅４分の１として、両溝の深さを引いた残りが付根（Ｃ１）の寸法となり、口（Ｄ）径と比例する。図１、４、５、参照。【００１１】  嵌合と同時に、半反りした溝元（Ｃ２）が口（Ｄ）径の規制から解除され、反撥して平常の平板に戻る。これにより溝（Ｃ）と口（Ｄ）が、両方の溝元（Ｃ２）に挟まり嵌合となる。
図５参照。【００１２】  以上にて袋の口元の締め付けが完了する。したがって本発明の止具は、折溝（Ａ）で折った紐幅。溝（Ｃ）の付根（Ｃ１）。口（Ｄ）径。の三者が合い比例契合するものである。【００１３】▲６▼、嵌合の解除。
止具の取り外しは、嵌合した先の溝元（Ｃ２）を窄めて、口（Ｄ）中に押し返すと容易に外れる。
【発明の効果】
【００１４】  本発明は、プレス型抜きの一回の成型で上がる。依って生産が容易である。【００１５】  また、幅広の板を幅狭の口（Ｄ）に差し込むという折筋（Ａ）の効果により、形状を小細工することなくスリムなリボン状の製品となる。従って、多様な止具としても違和感がなく。意匠効果を発揮する。【００１６】  従って、イメージ性と簡便性は勿論。輪ゴムのように応用の効く止具として、使い捨てることなく重宝されるものである。【００１７】  また用途により強度や柔軟さが要求されるものであり、適材であるプラスチック板の材質には考慮すること。
【発明を実施するための最良の形態】
【００１８】  本発明は、適材であるプラスチック板の厚みや質の具合により、取付感度や耐久度が左右される。したがって用途に応じた材質を選定する。【００１９】  取付を段階的に広く対応する場合は、溝（Ｃ）数を段階に増やせばよい。すなわち、溝（Ｃ）と口（Ｄ）の間を長く取れば緩い締付。短く取ればきつい締付け。であることを考慮に入れる。図３参照。【００２０】  また、本発明は紐の両先を持って締付けるものであるから、指の掛かり部、すなわち手持ち部になる両端の間を十分に取ること。
【産業上の利用可能性】
【００２１】  したがって本発明に係る止具は、工業的に量産することが可能であるため、産業上の利用可能性を有する。
【図面の簡単な説明】
【００２２】
【図１】  本発明の平面図である。
【図２】  本発明の折曲げた平面図である。
【図３】  本発明の段階に溝を入れた平面図である。
【図４】  本発明の口に差込んだ斜視図である。
【図５】  本発明の嵌合した斜視図である。
【符号の説明】
【００２３】    Ａ      折筋
Ａ１    刻み
Ｂ      角丸
Ｃ      溝
Ｃ１    付根
Ｃ２    溝元
Ｄ      口
【図１】
2008105744.tif 000003
【図２】
2008105744.tif 000004
【図３】
2008105744.tif 000005
【図４】
2008105744.tif 000006
【図５】
2008105744.tif 000007
(57)【要約】【課題】従来のアンケーサーは容器の把持装置を大きく上下移動させる必要があり把持装置を保持している部材のスパンが長くなり挿入時や容器の把持の際に把持装置が揺れて停止までに時間がかかり停止精度も悪い。また、大きいスペースを必要とする。【解決手段】容器のアンケーシングはケースを昇降させる事により行うので従来のように把持装置を大きく上下に移動させる必要はなく、停止精度が良くなる。また、装置全高が低く、コンパクトで操作性がよく、威圧感のない装置でしかも低コストである。【選択図】図２
2008105734.tif 000002
【特許請求の範囲】
【請求項１】
搬送体上の容器入りケースから複数の容器をグリッパで把持し、他の部位に移載させるアンケーサーにおいて、容器入りケースをアンケーシング部下部で停止し、アンケーシング部上部で待機している把持装置までケースを上昇させて把持装置に容器を把持させ、ケースだけを下降させる事によりケースから容器を取り出し、容器を所定の位置まで移動し、かつ、把持を開放させる事により、ケースから容器を取り出し他の部位に移載させるアンケーサー。
【発明の詳細な説明】
【技術分野】
【０００１】
本発明は、コンベアにより搬送されるケースに収納された複数本の壜等の容器をまとめて抜き取るための抜き取り装置、一般にアンケーサーと称されるものに関するものである。
【背景技術】
【０００２】
ビール壜、牛乳壜等の容器アンケーサーは従来から知られている（例えば、特許文献１、特許文献２参照）。特許文献１及び２に記載されているアンケーサーは、ケース搬送コンベア上のケースに把持装置が鉛直に下降してケース内の壜を把持し、把持装置が上昇して隣接する壜搬送コンベア又は壜受けテーブル上に水平移動して再び下降し、把持を開放して壜を壜搬送コンベア又は壜受けテーブル上に載置する抜き取り方式をとっている。    
【特許文献１】特開２００１−１５７８８２号公報
【特許文献２】特開平７−２５１９３２号公報
【発明の開示】
【発明が解決しようとする課題】
【０００３】
前記特許文献等のような従来方式（把持装置を大きく上下動させてケースから抜き取る方式）では、把持装置を上下及び横方向へ大きく移動させる必要がある為、把持装置を保持している部材のスパンが長くなり、容器の把持や開放の際に把持装置が揺れて停止までに時間がかかり、さらに停止精度も悪くなる。また、重い物を動作させる為、過大なエネルギーが必要であり、トラブル時のダメージも大きくなる。更に、大きいスペースを必要とするとともに、コスト高であるという問題もある。
【課題を解決するための手段】
【０００４】
本発明のアンケーサーは搬送体上の容器入りケースをアンケーシング部下部で停止し、アンケーシング部上部で待機している把持装置までケースを上昇させて把持装置に容器を把持させ、ケースだけを下降させてケースから容器を取り出し、容器を所定の位置まで移動し、かつ、把持を開放し、他の部位に移載することを特徴とするものである。
【発明の効果】
【０００５】
本発明のアンケーサーはケースを把持装置まで上昇させて、容器を把持させるので従来のアンケーサーのように把持装置を大きく上下に移動させる必要はなく、把持装置を保持している構成部材を小さくでき、スパンも短くなるので揺れが小さく停止精度も良くなる。また、本装置全高は把持装置高さとほぼ同じ程度となりコンパクトで操作性がよく、威圧感のない装置であり、しかも低コストである。更に、大きな動力は不要で省エネであり、トラブル時のダメージも小さい。
【発明を実施するための最良の形態】
【０００６】
容器をケースから取り出すという目的に際し、ケースをアンケーシング部下部で停止し、アンケーシング部上部で待機している把持装置までケースを上昇させて把持装置に容器を把持させ、ケースだけを下降させてケースから容器を取り出し、容器を所定の位置まで移動し、かつ、把持を開放し、他の部位に移載を行うという簡単な構成で実現した。  以下、図面に示す実施例により本発明を説明する。
【実施例】
【０００７】
図１は本発明に係るアンケーサーの全体の平面図、図２は全体の正面図、図３はアンケーシング部の側面図である。
【０００８】
図示のように、主たる構成はケースコンベヤ３と、ケース位置決めストッパー７及び８と、ケース昇降装置６と、容器把持装置１１と、把持装置の水平移動装置１０と、容器コンベヤ４と、それらを組み込む本体フレーム５からなるアンケーサーである。尚、各装置の駆動源はエアーシリンダーや電動、サーボモーター等任意に選択することができる。
【０００９】
ケースコンベヤ３により容器入りケースがケーシング部下部まで搬送されるとケースストッパー７により定位置停止し、その場で待機する。後続のケースはケースストッパー８によりケーシング部下部より少し手前で停止する。
【００１０】
ケーシング部上部に把持装置１１が到着すると下部で待機していた容器入りケースが昇降装置６により上昇し、容器を把持できる高さまで上昇すると、開放状態にある把持装置１１が把持する。なお、ケース上昇時はケース上昇ガイド２０にて矯正を行いケース位置の精度を上げて把持の確実性を増す。
【００１１】
容器が把持されると昇降装置６によりケースだけが元の待機位置まで下降し、容器とケースの分離を行う。その後ケースコンベヤ３により空ケースを機外の搬送体上に排出すると同時に次のケースをケーシング部下部まで搬送し、ケースストッパー７により定位置停止させ、その場で待機させる。
【００１２】
ケースと分離された容器は把持装置１１とともに水平移動装置１０により移載部まで移行し、把持装置１１を把持装置昇降シリンダー１９で少し下降させて把持を開放し、容器コンベヤ４上に移載し、機外の搬送体上に排出する。尚、移載時は容器コンベヤ４の速度に水平移動装置１０を同調させて把持を開放すればスムースな移載が可能となる。
【００１３】
容器が容器コンベヤ４上に移載されると把持装置１１は把持装置昇降シリンダー１９で少し上昇させて水平移動装置１０によりアンケーシング部上部まで戻り次の容器を把持できる体制で待機する。
【００１４】
アンケーシング部上部で把持装置１１が待機している状態とアンケーシング部下部で容器入りケースが待機している状態になれば次の動作サイクルに入り、順次繰り返し処理を行う。
【００１５】
尚、ケースの供給方向及びケースコンベヤの配置については任意に選択ができる。更に、把持方法は前記実施例に限定されるものではなく、爪や吸盤、ピン、ゴムグリッパー等任意に選択することができる。
【図面の簡単な説明】
【００１６】
【図１】アンケーサー全体の平面図
【図２】アンケーサー全体の正面図
【図３】アンケーシング部の側面図
【図４】本発明のケーサーと従来機の比較図
【符号の説明】
【００１７】
１．容器
２．ケース
３．ケースコンベヤ
４．容器コンベヤ
５．本体フレーム
６．昇降装置
７．ケースストッパー
８．ケースストッパー
９．ケースガイド
１０．水平移動装置（1軸サーボユニット）
１１．把持装置
１２．把持具
１６．上部カバー
１８．容器ガイド
２０．上昇ケースガイド
【図１】
2008105734.tif 000003
【図２】
2008105734.tif 000004
【図３】
2008105734.tif 000005
【図４】
2008105734.tif 000006
(57)【要約】【課題】抗腫瘍活性を有する多糖類が豊富な茸類である茯苓から有効成分を効率よくしかも大量に抽出する。【解決手段】抗腫瘍活性を有する多糖類が豊富な茸類である茯苓を用いた生薬の抗腫瘍性有効物質の抽出法であって、該茸類を外皮と共に煎じると共に、少なくとも９５℃以上の水を使用し、且つ５〜６時間煎じる。この抽出法によって、これに含まれる有効成分のβ−グルカンとその外皮に含まれる微量成分を良好に抽出することができる。【選択図】なし【特許請求の範囲】
【請求項１】
抗腫瘍活性を有する多糖類が豊富な茸類である茯苓を用いた生薬の抗腫瘍性有効物質の抽出法であって、該茯苓を外皮と共に煎じると共に、少なくとも９５℃以上の水を使用し、且つ５〜６時間煎じることを特徴とする生薬の抗腫瘍性有効物質の抽出法。
【請求項２】
前記有効成分がβ−グルカンである、請求項１又は２に記載の生薬の抗腫瘍性有効物質の抽出法。
【請求項３】
前記有効成分が前記外皮に含まれる微量成分をさらに含むことを特徴とする、請求項１記載の生薬の抗腫瘍性有効物質の抽出法。
【発明の詳細な説明】
【技術分野】
【０００１】
本発明は、生薬の抗腫瘍性有効物質の抽出法に関するものである。
【背景技術】
【０００２】
古来より、サルノコシカケ科の茸は、難病に効くと伝えられ、近年アガリスクを始めとする茸類に含まれる有効成分が、人体の免疫力を高めるとの論文の発表があり注目された。このサルノコシカケ科の茸には、茯苓、猪苓、霊芝、サルノコシカケ等を代表として、約６００種類以上が存在しており、特に中国において前記猪苓、霊芝、サルノコシカケ等は癌の特効薬として大量に使用されている。
【０００３】
これらのサルノコシカケ科の茸には、表１に示すようにβ−グルカンが大量に含まれており、このβ−グルカンを有効成分とする抽出物が人体の免疫力を高める効果があるとされ、特に癌を抑制する効果が期待されている。
【０００４】
【表１】
2008105972.tif 000002
【０００５】
しかしながら、上記サルノコシカケ科の茯苓は、大量のβ−グルカンを含有しているものの、中国においては癌の特効薬としては使用されておらず、また日本薬局方においては利尿剤として位置付けされており、またその使用法としては外皮を除くことが明記されており、癌などに対する抗腫瘍性剤としての利用はなされていなかった。
【０００６】
そこで、抗腫瘍活性の多糖類を有する茸類などの生薬の抗腫瘍活性を有効に発現できる抗腫瘍活性強化方法が提案されている（特許文献１参照。）。また本発明者は、サルノコシカケ科の茯苓等に含まれるβ−グルカンを有効に活用できる抽出法を提案している（特許文献２参照。）。
【０００７】
【特許文献１】特開２０００−１５９６８２号公報
【特許文献１】特開２００３−１０４９０５号公報
【発明の開示】
【発明が解決しようとする課題】
【０００８】
しかしながら、上記特許文献１に提案した生薬の抗腫瘍性活性強化方法の場合、β−グルカンを含む茸類を遠赤外線による焙煎や微生物による発酵工程とを必要とし、作業工程が複雑となり費用が係るという問題点がある。
【０００９】
また、上記特許文献２に提案した生薬の抗腫瘍性有効物質の抽出法を使用する方法においては、外皮に含まれる微量成分に関しては何らの記載も開示もなく、β−グルカンの抽出量に言及したものであった。
【００１０】
上記の問題点に鑑み本発明者らは、β−グルカンの人体に対する吸収性が、サルノコシカケ科の茯苓の外皮に含まれる微量成分によって大幅に改善されるとの知見により、本発明の生薬の抗腫瘍性有効物質の抽出法を提供するにいたった。
【課題を解決するための手段】
【００１１】
このため本発明は、抗腫瘍活性を有する多糖類が豊富な茸類である茯苓を用いた生薬の抗腫瘍性有効物質の抽出法であって、該茯苓を外皮と共に煎じると共に、少なくとも９５℃以上の水を使用し、且つ５〜６時間煎じることを第１の特徴とする。
【００１２】
また、前記有効成分がβ−グルカンであることを第２の特徴とする。
【００１３】
そして、前記有効成分が前記外皮に含まれる微量成分をさらに含むことを第３の特徴とする。
【００１４】
尚、上記微量成分としては、有機ゲルマニウム、キチン質、レクチン、テルペノイド等が含まれる。
【発明の効果】
【００１５】
本発明に係る生薬の抗腫瘍性有効物質の抽出法によれば、抗腫瘍活性を有する多糖類が豊富な茸類である茯苓を外皮と共に煎じる際に、少なくとも９５℃以上の水を使用し、且つ５〜６時間煎じるため、β−グルカンを効率よく大量に抽出することができるという優れた効果を有する。
【００１６】
しかも、茯苓の外皮に含まれる微量成分も効率よく抽出できるという効果を有する。
【発明を実施するための最良の形態】
【００１７】
本発明では、従来の抽出方法では得られなかった高濃度のβ−グルカンを効率よく抽出することができ、しかも茯苓の外皮に含まれる微量成分と共に抽出を行なうことによって得られたβ−グルカンは、人体の吸収に優れる。
【００１８】
特に、サルノコシカケ科の茯苓を外皮と共に一気圧の条件下、沸騰点摂氏１００度以内で、５〜６時間煮沸することによって高分子多糖体であるβ−グルカンを抽出し、さらに外皮に含まれる微量成分の有機ゲルマニウム、キチン質、レクチン、テルペノイド等を効率よく抽出する抽出方法を完成させたものである。
【００１９】
以下、本発明を実施例に基づいて説明するが、本発明が本実施例に限定されないことは言うまでもない。
【実施例】
【００２０】
（抽出条件）
（１）材料        天然茯苓    １００ｇ
（２）浸漬        ５ｌの水に１時間以上浸漬
（３）一次抽出    強火で沸騰させた後、さらに強火で２時間以上抽出
（４）二次抽出    ３ｌの水に一次抽出した残渣を投入し、１時間以上抽出
（５）三次抽出    二次抽出と同様に１時間以上抽出
【００２１】
上記の抽出方法にて得られた抽出液の分析を行なったところ、抗腫瘍活性を有する多糖類であるβ−グラカンを多量に含有し、さらに微量成分である微量成分の有機ゲルマニウム、キチン質、レクチン、テルペノイド等が含まれていた。
【００２２】
上記で得られた３種の抽出物を混合し煎じ液として癌患者に投与したところ、人体の免疫力が向上し、延命効果が見られるという多数の治験が得られた。
【００２３】
以上、本発明の生薬の抗腫瘍性有効物質の抽出法によって、サルノコシカケ科の茯苓から抗腫瘍活性を有する多糖類β−グルカンを効率よく抽出できると共に、茯苓の外皮に含まれる微量成分の抽出が可能となるため、人体へのβ−グルカンの吸収性に優れた抽出物が得られる。
【産業上の利用可能性】
【００２４】
本発明による生薬の抗腫瘍性有効物質の抽出法によれば、サルノコシカケ科の茯苓から癌などに対して有効な抗腫瘍活性を有する多糖類β−グルカンを効率よく抽出できる。
(57)【要約】【課題】フローマークの発生がすくない最適な結晶性樹脂の特性評価方法を提供する。【解決手段】ポリプロピレン系アロイ射出成形品のフローマークの予測方法において、溶融樹脂の法線応力とせん断応力のバランスを評価することを特徴とするフローマーク発生の予測方法、また、σn＜σsならばフローマークの発生と予測する上記のフローマーク発生の予測方法に関する。（但し、σnおよびσeそれぞれ溶融樹脂の法線応力およびせん断応力）【選択図】          なし【特許請求の範囲】
【請求項１】
ポリプロピレン系アロイ射出成形品のフローマークの予測方法において、溶融樹脂の法線応力とせん断応力のバランスを評価することを特徴とするフローマーク発生の予測方法。
【請求項２】
σn＜σsならばフローマークの発生を予測する請求項１に記載のフローマーク発生の予測方法。（但し、σnおよびσeそれぞれ溶融樹脂の法線応力およびせん断応力）
【発明の詳細な説明】
【技術分野】
【０００１】
本発明は、溶融樹脂の法線応力とせん断応力のバランスに着目したポリプロピレン系アロイ射出成形品のフローマークの予測方法に関する。
【背景技術】
【０００２】
各種結晶性樹脂は、力学的物性と成形性のバランスが良好であり、種々の産業分野において広く利用されている。結晶性樹脂の中でもポリプロピレンは、汎用樹脂の中では高融点であるため耐熱性に優れ、かつ、剛性が高く、かつ、軽量であることから特に自動車、電機部品産業分野で広く利用されている。
【０００３】
従来のポリプロピレン樹脂組成物としては、特開昭５７−５５９５２号公報（特許文献１）、特開昭５８−１１１８４６号公報（特許文献２）、特開昭５９−９８１５７号公報（特許文献３）、特開昭５８−１７１３９号公報（特許文献４）などに開示されるように、ポリプロピレン樹脂にエチレン・プロピレン系共重合体やタルクなどの無機フィラーを充填することが試みられている。このような樹脂組成物は、表面硬度が低く、流動性が劣っている場合があった。さらに、ポリプロピレン樹脂の改良やエチレン・α−オレフィン系共重合体の種類の限定により、表面硬度や成形加工性の改良を行っている。
【０００４】
一般に、フローマークが現われにくい樹脂として、ダイスウェルを大きい材料が好ましいことが知られている。ダイスウェルを大きくするための改良として、樹脂の分子量分布を大きくする、高分子量成分を増やすなどが行われてきた。さらに、ポリプロピレン樹脂に限って言えば、ポリプロピレンブロック共重合体のゴム成分の［η］を大きくすることなども行われてきた。しかし、これらによっても、フローマークの発生が見られることがあり、さらに改善が望まれていた。
【特許文献１】特開昭５７−５５９５２号公報
【特許文献２】特開昭５８−１１１８４６号公報
【特許文献３】特開昭５９−９８１５７号公報
【特許文献４】特開昭５８−１７１３９号公報
【発明の開示】
【発明が解決しようとする課題】
【０００５】
フローマークの発生がすくない最適な結晶性樹脂の特性評価方法を提供する。
【課題を解決するための手段】
【０００６】
本発明は、ポリプロピレン系アロイ射出成形品のフローマークの予測方法において、溶融樹脂の法線応力とせん断応力のバランスを評価することを特徴とするフローマーク発生の予測方法に関する。
【０００７】
また、本発明は、σn＜σsならばフローマークの発生と予測する請求項１に記載のフローマーク発生の予測方法に関する。（但し、σnおよびσeそれぞれ溶融樹脂の法線応力およびせん断応力）
【発明の効果】
【０００８】
本発明により、射出成形品のフローマーク特性を評価する射出成形用結晶性樹脂の特性評価方法を提供することができる。
【発明を実施するための最良の形態】
【０００９】
フローフロント先端部に着目し，先端部に生じる不安定成長について、フローフロント表面近傍における正味の法線応力Δσnは，フローフロント先端表面における線張力Γの効果を考慮し，ファウンテンフローを起こしている溶融樹脂の伸長変形に伴う伸長応力によって線張力が生じると仮定し，表面張力を無視すれば式(1)のように書ける
【００１０】
【数１】
2008105260.tif 000002
【００１１】
ここで，σnおよびσeそれぞれ溶融樹脂の法線応力および伸長応力であり，tFおよびRはフローフロント表面で伸長変形を生じている部分の代表厚みおよびフローフロントの曲率を表す．
【００１２】
樹脂の粘度および緩和時間をそれぞれηおよびτとし，フローフロントより内部で金型壁面に平行にせん断変形を受けている部分の樹脂のせん断ひずみをγで表すことにする．フローフロント表面近傍の粘弾性構成方程式をマックスウェルモデルで表せば，
【００１３】
【数２】
2008105260.tif 000003
【００１４】
式(2)に式(1)を代入し，樹脂を非圧縮性とし，σe＝3σs(せん断応力)とすれば
【００１５】
【数３】
2008105260.tif 000004
【００１６】
ここでγ(t)が時間に対して素直な挙動を示すと仮定し，
【００１７】
【数４】
2008105260.tif 000005
とおいて，式(3)に代入すれば，
【００１８】
【数５】
2008105260.tif 000006
が得られる．
【００１９】
したがって，Rは式(6)で表すことができる．
【００２０】
【数６】
2008105260.tif 000007
ただし，<σs>=η<dγ/dt>とした．
【００２１】
式(6)より，σnが<σs>より大きければフローフロント先端の曲率が常に正(進行方向に凸)であり，σnが<σs>より小さい場合には樹脂の緩和時間に対して十分時間が経った後に曲率が負(進行方向に凹)となる．すなわち，フローフロントの形状安定性は溶融樹脂の法線応力とせん断応力のバランスで決まり，σn＞σsならばフローフロントは安定，σn＜σsならばフローフロントは不安定となり，フローマークの発生につながる。
【００２２】
PP系アロイ試料射出成形品のフローマークを次に示したFlow Mark Index(FMI)により評価できる。
【００２３】
【数７】
2008105260.tif 000008
ここで，L0およびL1はFig.１に示したそれぞれ金型の長さおよび目視によるゲート側試料端からフローマーク発生位置までの長さである．
【００２４】
上述した理論を検証するために実験より求めなければならないPP系アロイ溶融物のレオロジー特性としては，定常流動中のせん断応力σsおよび第一法線応力差σn，ならびに緩和時間である．
(57)【要約】【課題】    新聞紙面を見ていて他ページに関連記事が掲載されている旨のページ案内をしていてもそのページを1回で捲ることは少なく何回か捲り直す不便の解消。【解決手段】    各ページ表示を下左又は下右側にも記した新聞であれば下左又は下右側のページ表示部を指先で繰って探し、その後捲って目的ページに達しこの課題を解決する。【選択図】    図１
2008105201.tif 000002
【特許請求の範囲】
【請求項１】
各ページ表示を上左又は上右側及び下左又は下右側に記した新聞紙。
【発明の詳細な説明】
【技術分野】
【０００１】
本発明は、新聞紙のページ表示に関する。
【背景技術】
【０００２】
従来の新聞紙のページ表記は上左又は上右側にしていた。
【発明の開示】
【発明が解決しようとする課題】
【０００３】
しかし、これでは、紙面をテーブル等の上に広げてページ捲りをする際、他ページに関連記事が掲載している旨の案内でその目的ページを1回で捲ることは少なく何回か捲り直すことが多い。
【課題を解決するための手段】
【０００４】
そこで、各ページ表示を上左又は上右側及び下左又は下右側に記した新聞であれば下左又は下右側のページ表示部を指先で繰って探し、その後捲って目的ページに達する。
【発明の効果】
【０００５】
よって、下左又は下右側にページ表示があれば、紙面をテーブル等の上に広げて目的のページ表示部を指先で繰って探して1回の捲りで目的ページに短時間・少動作で達することが出来る。
【発明を実施するための最良の形態】
【０００６】
新聞の各ページ表示を上左又は上右側及び下左又は下右側に印刷する際、同一ページであれば上側・下側は同じ数字表示でよい。
【産業上の利用可能性】
【０００７】
本発明に係る新聞紙は下部に数字を印刷するだけであり実行可能である。
【図面の簡単な説明】
【０００８】
【図１】本発明に係る各ページ表示を上左又は上右側及び下左又は下右側に記した新聞紙。
【図２】従来の新聞紙 。
【符号の説明】
【０００９】
１      新聞紙
２      上右側ページ数字
３      上左側ページ数字
４      下右側ページ数字
５      下左側ページ数字
６      新聞紙の折り目
【図１】
2008105201.tif 000003
【図２】
2008105201.tif 000004
(57)【要約】【課題】  電子機器のパスワード入力システムにおいて単純なパスワードでもセキュリティーの安全性を向上させることを目的とする。【解決手段】  パスワードの入力画面を升目状にして、パスワード文字の入力位置を認識することにより電子機器のパスワード識別性を向上する。【選択図】図１
2008176756.tif 000002
【特許請求の範囲】
【請求項１】
パスワードの入力画面が文字ごとに区分けされていることを特徴とする電子機器のパスワード入力システム。
【請求項２】
区分けされているパスワード入力部分が少なくとも２行列以上であることを特徴とする請求項１記載のパスワード入力システム。
【請求項３】
区分けされているパスワード入力部分の行列数を選択できることを特徴とした請求項１ないし請求項２記載のパスワード入力システム。
【発明の詳細な説明】
【技術分野】
【０００１】本発明は電子機器のパスワード入力システムに関する。
【背景技術】
【０００２】従来の技術としてパーソナルコンピュータ等の電子機器をユーザーが使用する際、ユーザーがその電子機器の正規な使用者であるかどうかを識別するためにパスワードや指紋等で認証するシステムがある。近年パスワード入力システムのセキュリティー安全性を向上させるためにパスワードの桁数を少なくとも８桁以上に規制したり、ローマ字と数字を交えるように規制したりする事が多く、電子機器の使用者は複雑なパスワードを記憶する事を余儀なくされている。また場合によっては複数個のパスワードを記憶しなければならない事もあり大変である。パスワードは１行の入力表示画面に入力するのが一般的である。パスワードはその桁数が少ないと他人に容易に把握されてしまう危険性がある。しかしその桁数が多いとパスワードを忘れてしまう可能性がある。
【発明の開示】
【発明が解決しようとする課題】
【０００３】簡単なパスワードでもセキュリティーの安全性を向上することを目的とする。
【課題を解決するための手段】
【０００４】パスワードの入力画面を１行もしくは２行列以上に区分けし、パスワードの入力パターンを認証条件に加えることにより、同じパスワードでもセキュリティーの安全性を向上させる。また、その区分けされた入力部分の行列数の認証を加えることによりさらにセキュリティーを強化する事が可能となる。
即ち本発明は、（１）パスワードの入力画面が文字ごとに区分けされていることを特徴とする電子機器のパスワード入力システム。
（２）区分けされている入力画面が少なくとも２行列以上であることを特徴とする（１）記載のパスワード入力システム。
（３）区分けされている入力画面の行列数を選択することを特徴とした（１）ないし（２）記載のパスワード入力システム。である。
【発明の効果】
【０００５】本発明により単純なパスワードを使用するだけでもセキュリティーの安全性を向上させる事が可能となる。
【発明を実施するための最良の形態】
【０００６】以下、本発明を詳細に説明する。まず電子機器のパスワードの入力画面を文字ごとに区分けする。ここでは説明が分かりやすいように区分け方を升目状として説明する。通常パスワードは入力画面左から順に入力していくが、入力画面を升目状することによりパスワードの各文字の入力位置を選択する事が可能になり、電子機器のパスワードによるセキュリティー安全性を向上する事ができる。【０００７】次に電子機器のパスワードの入力画面を少なくとも２行列以上の升目状にする。電子機器の使用者はパスワードを決めておく。初めに使用する電子機器にパスワードを記憶させる際、使用者は決めておいたパスワードを升目状の入力画面に好きなように入力していく。このとき使用者はどの升目にパスワードを入力したかを記憶する事が必要となる。例えば、仮にパスワードをＡＢとして、使用者はまずＡを升目の１行１列目に入力し次にＢを２行２列目に入力したとする。電子機器は使用者のパスワードとそのパスワードが入力された升目の位置を記憶する。使用者がＡＢのパスワードを忘れないように何処かにメモを残していて他人が何らかの方法で使用者のパスワードを把握したとしても、電子機器が記憶している升目の位置にパスワードを入力しないと電子機器が認証することは無い。【０００８】升目は少なくとも２行列以上であれば良く、例えば２行３列や３行２列でも良い。行列数を増やすことによりセキュリティーの安全性をさらに向上させることができる。【０００９】電子機器にパスワードの入力順序を認識させなくても良いが、入力順序と入力位置を認識させればさらに安全である。【００１０】近年パスワード入力システムのセキュリティー安全性を向上させるためにパスワードの桁数を少なくとも８桁以上に規制したり、ローマ字と数字を交えるように規制したりする事が多く、電子機器の使用者は複雑なパスワードを記憶する事を余儀なくされている。また場合によっては複数個のパスワードを記憶しなければならない事もあり大変である。本発明のパスワード入力画面の升目に予め数字を表示しておき、そこにローマ字のパスワードを入力すれば自動的に数字とローマ字のパスワード入力が可能となる。例えば入力画面の升目の１行１列目に数字の１を表示させ１行２列目に数字の２をさせて、それぞれの升目にＡとＢを入力すれば、電子機器はパスワードを１Ａ２ＢもしくはＡ１Ｂ２と認識する事が可能である。【００１１】本発明のパスワード入力画面の升目の行列数を予め決定しておくこともできるが、使用者がパスワードを入力する前に升目の行列数を選択することも可能である。こうすることによりセキュリティーの安全性を向上する事ができる。例えば使用者のパスワードが仮にＡの一文字だったとしても、升目の行列数を１０行１０列と選択した場合、どの升目にパスワードであるＡの文字を入力するかによって１００通りの選択が可能である。パスワードをＡＢとした場合は実に９９００通りの選択が可能となる。つまり本発明のシステムにより単純なパスワードでも容易にセキュリティーの安全性を向上させる事が可能となる。ここでは分かりやすいようにパスワードの入力画面を升目状として説明したが、文字を個別に入力できさえすればそのデザインは如何様でも良い。
【実施例】以下、図を参照して本発明の実施例を説明するが、本発明は実施例に限定されるものではない。
【実施例１】
【００１２】まず図−１に本発明のパスワード入力画面の升目を示す。使用者がパスワードであるＡＢを図−１のように入力し電子機器に記憶させたとする。他人が図−２のようにパスワードのＡＢを入力しても電子機器は認識しない。
【実施例２】
【００１３】図−３はパスワードを入力する前に升目の行列数を選択する画面である。使用者はここで升目の行列数を決定する事ができる。
【産業上の利用可能性】
【００１４】本発明のシステムは近年世界的に普及している電子機器のセキュリティー保護に関するものである。本システムにより単純なパスワードを使用しただけでも飛躍的にセキュリティーの安全性を向上する事が可能である。
【図面の簡単な説明】
【００１５】
【図１】    パスワードの入力画面および入力例を示す図である。
【図２】    パスワードの誤った入力例の図である。
【図３】    パスワード入力画面の行列数を選択する画面の図である。
【図１】
2008176756.tif 000003
【図２】
2008176756.tif 000004
【図３】
2008176756.tif 000005